(57)【特許請求の範囲】
【請求項１】
光センサと表示部とを備えている電子機器であって、
上記光センサからの出力に基づき、上記光センサに対応する表示領域に照射された光の特性を検出する特性検出手段と、
検出された上記特性に基づき、上記表示領域に表示される表示情報の彩度を調整する彩度調整手段とを備え、
上記彩度調整手段は、複数の連続したフレーム期間に渡って、上記彩度を段階的に調整し、
上記電子機器は、
温度センサと、
上記温度センサからの出力に基づき、上記表示部の表面温度を検出する温度検出手段と、をさらに備えており、
上記彩度調整手段は、検出された上記表面温度ごとに設定された数の、連続した上記フレーム期間に渡って上記彩度を調整することを特徴とする電子機器。
【請求項２】
上記彩度を調整する際に用いられる、互いに異なる複数の調整値を保持している保持手段をさらに備えており、
上記彩度調整手段は、上記彩度を、上記複数の調整値のうち上記特性に応じたいずれかの調整値を用いて調整することを特徴とする請求項１に記載の電子機器。
【請求項３】
上記特性は、上記光の照度であることを特徴とする請求項１又は２に記載の電子機器。
【請求項４】
上記彩度調整手段は、検出された上記照度がより高いほど、上記彩度の強調度合いをより高い値に調整することを特徴とする請求項３に記載の電子機器。
【請求項５】
上記彩度調整手段は、検出された上記照度がより低いほど、上記彩度の強調度合いをより低い値に調整することを特徴とする請求項３に記載の電子機器。
【請求項６】
上記特性は、上記光の分光特性であることを特徴とする請求項１又は２に記載の電子機器。
【請求項７】
検出された上記分光特性に基づき、互いに異なる複数の色相のうち、上記彩度を調整する対象の色相を少なくとも１つ選択する色相選択手段をさらに備えており、
上記彩度調整手段は、選択された少なくとも１つの上記色相の上記彩度を調整することを特徴とする請求項６に記載の電子機器。
【請求項８】
上記色相選択手段は、上記複数の色相のうち、予め定められた基準量よりも多い量の上記色相以外の上記色相を少なくとも１つ選択し、
上記彩度調整手段は、選択された少なくとも１つの上記色相の上記彩度を調整することを特徴とする請求項７に記載の電子機器。
【請求項９】
上記彩度調整手段は、選択された少なくとも１つの上記色相の上記彩度を、より高い値に調整することを特徴とする請求項８に記載の電子機器。
【請求項１０】
上記色相選択手段は、上記複数の色相のうち、予め定められた基準量よりも多い量の上記色相を少なくとも１つを選択し、
上記彩度調整手段は、選択された少なくとも１つの上記色相の上記彩度を、より低い値に調整することを特徴とする請求項７に記載の電子機器。
【請求項１１】
予め定められた基準量よりも多い量の上記色相は、赤色、青色、緑色、黄色、水色、および紫色のうち少なくともいずれかであることを特徴とする請求項８〜１０のいずれか１項に記載の電子機器。
【請求項１２】
上記彩度調整手段は、あるフレーム期間において検出された上記特性に応じて、当該あるフレーム期間の次のフレーム期間において、上記彩度を調整することを特徴とする請求項１〜１１のいずれか１項に記載の電子機器。
【請求項１３】
上記彩度調整手段は、上記彩度をより高い値に調整する際と、より低い値に調整する際とにおいて、互いに異なる数の連続したフレーム数に渡って上記彩度を段階的に調整することを特徴とする請求項１〜１２の何れか１項に記載の電子機器。
【請求項１４】
上記彩度調整手段は、検出された上記表面温度がより低いほど、より多い数の連続した上記フレーム期間に渡って上記彩度を調整することを特徴とする請求項１〜１３の何れか１項に記載の電子機器。
【請求項１５】
上記彩度調整手段は、検出された上記表面温度がより高いほど、より少ない数の連続した上記フレーム期間に渡って上記彩度を調整することを特徴とする請求項１〜１３の何れか１項に記載の電子機器。
【請求項１６】
上記表示領域は、上記表示部の表示画面における一部分であることを特徴とする請求項１〜１５のいずれか１項に記載の電子機器。
【請求項１７】
上記表示画面は、複数の上記表示領域を含んでおり、
上記特性検出手段は、上記表示領域ごとに、当該表示領域に対応する上記光センサからの上記出力に基づき、当該表示領域における上記特性を検出し、
上記彩度調整手段は、上記表示領域ごとに、当該表示領域における上記特性に応じて上記彩度を調整することを特徴とする請求項１６に記載の電子機器。
【請求項１８】
複数の表示領域のうちいずれかの表示領域における上記特性の値が、当該いずれかの表示領域に隣接する他の上記表示領域における上記特性と異なる場合、上記彩度調整手段は
、当該いずれかの表示領域と当該他の表示領域との境界付近の上記彩度を、当該いずれかの表示領域における上記特性に応じた上記彩度の調整値と、当該他の表示領域における光の照度に応じた上記彩度の調整値との中間の上記調整値を用いて調整することを特徴とする請求項１６に記載の電子機器。
【請求項１９】
互いに異なる位置に配置される複数の上記光センサを備えていることを特徴とする請求項１〜１８のいずれか１項に記載の電子機器。
【請求項２０】
複数の上記光センサが、上記表示部の画素内に配置されていることを特徴とする請求項１９に記載の電子機器。
【請求項２１】
複数の上記光センサが、上記表示部における表示画面外の額縁領域に配置されていることを特徴とする請求項１９に記載の電子機器。
【請求項２２】
上記特性検出手段は、検出した上記特性を、１フレーム期間に１回のみ、上記彩度調整手段に出力することを特徴とする請求項１〜２１のいずれか１項に記載の電子機器。
【請求項２３】
上記表示部は液晶パネルであることを特徴とする請求項１〜２２のいずれか１項に記載の電子機器。
【請求項２４】
上記特性に関わらず上記彩度を調整不可にする設定と、上記特性に関わらず上記彩度を調整可能にする設定と、上記特性に基づいて上記彩度調整手段が上記彩度を調整する設定とを切り換える設定切換手段をさらに備えていることを特徴とする請求項１〜２３のいずれか１項に記載の電子機器。
【請求項２５】
光センサと表示部と温度センサとを備えている電子機器の彩度調整方法であって、
上記光センサからの出力に基づき、上記光センサに対応する表示領域における光の特性を検出する特性検出ステップと、
検出された上記特性に基づき、上記表示領域における彩度を調整する彩度調整ステップとを含み、
上記彩度調整ステップにおいて、複数の連続したフレーム期間に渡って、上記彩度を段階的に調整し、
上記彩度調整方法は、上記温度センサからの出力に基づき、上記表示部の表面温度を検出する温度検出ステップをさらに含んでおり、
上記彩度調整ステップにおいて、検出された上記表面温度ごとに設定された数の、連続した上記フレーム期間に渡って上記彩度を調整することを特徴とする電子機器の彩度調整方法。
【請求項２６】
請求項１から２４のいずれか１項に記載の電子機器を動作させるプログラムであって、コンピュータを上記の各手段として機能させるためのプログラム。
【請求項２７】
請求項２６に記載のプログラムを記録しているコンピュータ読み取り可能な記録媒体。
【発明の詳細な説明】
【技術分野】
【０００１】
本発明は、カラー映像信号に色補正を施す電子機器、彩度調整方法、プログラムおよび記録媒体に関するものである。
【背景技術】
【０００２】
カラー画像を表示する表示装置等の電子機器において、カラー映像信号に対して色補正を施し、元のカラー映像信号をより鮮やかに見せる技術が知られている。その技術として、Ｒ（赤色）、Ｇ（緑色）およびＢ（青色）の３原色の他に、これらの捕色であるＹ（黄色）、Ｍ（マゼンダ）およびＣ（シアン）を加えた６色の信号成分に基づいて色補正を行なう技術があり、例えば、特許文献１に開示されている。【０００３】
特許文献１のカラー表示装置では、映像信号の彩度又は輝度を補正する際に、その上限を超えてしまわないように処理している。つまり、色補正をした結果、ある成分の彩度又は輝度が予め設定されている上限値を超えてしまうことがあり、特に単色に近い領域では期待通りの色補正ができない。この場合、ある成分について誤って色補正された映像は、正しく変換された画素と、誤って変換された画素とが混じった映像となるため、映像全体で見ると部分的に違和感のある映像になる。【０００４】
そこで、特許文献１のカラー表示装置では、まず入力カラー映像信号の複数の色成分における各階調レベルの大小関係を判定する。次に、当該大小関係に基づき、複数の色成分のうち階調レベルが最小の成分を除く色成分のそれぞれに対して、複数の色成分における各階調レベルの大きさに基づき決定される変数を用いて演算処理することにより、色補正を行なっている。
【先行技術文献】
【特許文献】
【０００５】
【特許文献１】日本国公開特許公報「特開２００５−１３４８６６号（２００５年５月２６日公開）」
【発明の概要】
【発明が解決しようとする課題】
【０００６】
ところで、電子機器を屋外で使用する場合など、使用環境又は状況によっては、電子機器のディスプレイに外光が照射され得る。この場合、ディスプレイにおいて外光が照射されている領域では、表示されている画像の彩度が劣化し、この画像が見え難くなることがある。【０００７】
つまり、図１７に示すように、ディスプレイ４０において外光４１が照射されている領域４２では、本来ディスプレイ４０から放射される光源からの光に加え、ディスプレイ４０の表面で反射された外光４１が人間の目に入射する。図１７は、電子機器のディスプレイに外光が照射された状態を示す図である。【０００８】
これにより、ディスプレイ４０自体の彩度特性が失われ、人間の目には鮮やかさが不足した状態の望ましくない画像が見えることになる。そのため、外光が照射されている環境下においても、彩度が保たれた状態で画像を表示することができる電子機器が求められている。【０００９】
なお、特許文献１に開示された技術では電子機器を屋外で使用することは想定しておらず、表示部上に外光が照射された場合、適切な彩度に調整された画像を表示することができない。【００１０】
本発明は、上記の課題を鑑みてなされたものであり、その目的は、外光の照射状態に応じて、ユーザが見易い画像を表示することができる電子機器を提供することにある。
【課題を解決するための手段】
【００１１】
本発明に係る電子機器は、上記の課題を解決するために、光センサと表示部とを備えている電子機器であって、上記光センサからの出力に基づき、上記光センサに対応する表示領域に照射された光の特性を検出する特性検出手段と、検出された上記特性に基づき、上記表示領域に表示される表示情報の彩度を調整する彩度調整手段とを備えていることを特徴としている。【００１２】
また、本発明に係る電子機器の彩度調整方法は、上記の課題を解決するために、光センサと表示部とを備えている電子機器の彩度調整方法であって、上記光センサからの出力に基づき、上記光センサに対応する表示領域における光の特性を検出する特性検出ステップと、検出された上記特性に基づき、上記表示領域における彩度を調整する彩度調整ステップとを備えていることを特徴としている。【００１３】
上記の構成によれば、本発明に係る電子機器は、光センサと表示部とを備え、当該光センサからの出力に基づき、表示情報の彩度を調整するので、外光の照射状態に応じて、ユーザが見易い画像を表示することができる。【００１４】
つまり、本発明の電子機器では、まず、光センサが、当該光センサに対応する表示領域における外光の照射状態を検知して、特性検出手段に出力する。特性検出手段は、光センサからの出力に基づき、光センサに対応する領域、すなわち、光センサによって外光の照射状態が検知され得る領域に照射された、光の特性を検出する。その後、彩度調整手段は、検出された光の特性に基づいて、当該表示領域に表示される表示情報の彩度を調整する。【００１５】
ここで、表示情報とは、例えば、外部機器から取得した、動画または静止画等の表示用のコンテンツが意図される。表示情報は、予め定められた彩度を有する情報として電子機器に送信されており、この彩度は、通常外光の照射状態が考慮された値ではない。この場合、電子機器を例えば屋外等の外光照射環境下において使用すると、表示画面上に表示される表示情報が見難いことがある。【００１６】
これに対し、本発明の電子機器では、受信した表示情報の彩度を外光の照射状態に応じて調整する。したがって、ユーザが見易い状態で画像を表示することができる。
【発明の効果】
【００１７】
本発明に係る電子機器は、光センサと表示部とを備えている電子機器であって、上記光センサからの出力に基づき、上記光センサに対応する表示領域に照射された光の特性を検出する特性検出手段と、検出された上記特性に基づき、上記表示領域に表示される表示情報の彩度を調整する彩度調整手段とを備えているので、外光の照射状態に応じて、ユーザが見易い画像を表示することができる。
【図面の簡単な説明】
【００１８】
【図１】本発明の一実施形態に係る電子機器の構成を示すブロック図である。
【図２】図１に示す電子機器における、光センサの配置例を示す図である。
【図３】図１に示す電子機器における、光センサの配置例を示す図である。
【図４】本発明の一実施形態に係る電子機器における彩度を調整する方法を説明するための図である。
【図５】本発明の一実施形態に係る電子機器における画面の表示例、および当該画面の彩度情報を示す図である。
【図６】本発明の一実施形態に係る電子機器において、外光の照射量に応じて彩度調整する様子を示す図である。
【図７】本発明の一実施形態に係る電子機器において、外光の分光特性に応じて彩度を調整する様子を示す図である。
【図８】本発明の一実施形態に係る電子機器における彩度を調整する際のタイミングを示す図である。
【図９】図８に示すタイミングＡ，Ｂにてそれぞれ彩度を調整したときの画面の表示例を示す図である。
【図１０】本発明の一実施形態に係る電子機器における彩度を調整する際の別のタイミングを示す図である。
【図１１】フレーム数に応じて段階的に彩度調整する様子を示す図である。
【図１２】本発明の一実施形態に係る電子機器における彩度を調整する際の別のタイミングを示す図である。
【図１３】複数の表示領域ごとに異なる彩度調整を行なう様子を示す図である。
【図１４】複数の表示領域ごとに異なる彩度調整を行なう別の例を示す図である。
【図１５】本発明の一実施形態に係る電子機器における光センサの別の配置例を示す図である。
【図１６】本発明の一実施形態に係る電子機器における温度センサの配置例を示す図である。
【図１７】電子機器の画面に外光が照射された状態を示す図である。
【発明を実施するための形態】
【００１９】
本発明に係る電子機器の一実施形態について、図１〜１６を参照して以下に説明する。
【００２０】
〔電子機器１の構成〕
図１は、本発明の一実施形態に係る電子機器１の構成を示すブロック図である。図１に示すように、電子機器１は、表示部２、光特性検出部（特性検出手段）３、彩度調整部（彩度調整手段）４、光センサ５、調整値保持部（保持手段）６、色相選択部（色相選択手段）７およびタイミングコントローラ８を備えている。
【００２１】
電子機器１は、外光の照射状態に応じて、表示部２に表示する表示情報の彩度を調整する。
【００２２】
具体的には、電子機器１は、光センサ５と表示部２とを備えている。光センサ５は、当該光センサ５が配置された周囲における光の照射状態を検知し、光特性検出部３に出力する。光特性検出部３は、光センサ５からの出力に基づき、光センサ５に対応する表示領域に照射された光の特性を検出する。その後、彩度調整部４は、検出された光の特性に基づいて、当該表示領域に表示される表示情報の彩度を調整する。
【００２３】
ここで、光センサ５に対応する領域とは、表示部２の表示領域内において、光センサ５が光の照射状態を検知することができる領域が意図される。すなわち、光センサ５に対応する領域は、光センサ５の数または配置等によってその範囲が決まる。
【００２４】
また、光特性検出部３によって検出される光の特性は、例えば、光の照度および光の分光特性の少なくともいずれかを含む。よって、電子機器１では、外光の照射状態に応じて、ユーザが見易い画像を表示することができる。
【００２５】
電子機器１としては、特に限定されるものではなく、例えば、携帯情報端末、携帯電話、デジタルスチルカメラ、デジタルビデオカメラ、パーソナルコンピュータまたはテレビ等を含む。
【００２６】
本明細書において、表示情報とは、例えば、図示しない外部機器から取得した、動画または静止画等の表示用のコンテンツが意図される。表示情報は、予め定められた彩度を有する情報として電子機器１に送信されており、この彩度は、通常外光の照射状態が考慮された値ではない。
【００２７】
この場合、電子機器１を例えば屋外等の外光照射環境下において使用すると、表示画面上に表示される表示情報が見難いことがある。そのため、電子機器１では、受信した表示情報の彩度を、外光の照射状態に応じて調整することにより、ユーザが見易い状態で画像を表示することができる。
【００２８】
表示部２は、光センサ５を有し、表示領域において表示情報を表示する。具体的には、光センサ５からの出力に基づき彩度が調整された表示情報を表示する。ここで、表示部２における表示領域は、表示部２の表示画面全体を１つの表示領域としてもよいが、表示領域が表示画面における一部分であることが好ましい。これにより、表示画面全体における表示情報の彩度を調整するよりも、部分ごとに彩度の微調整をすることができるので、より表示品位を向上させることができる。表示部２としては、例えば、液晶パネルまたは有機ＥＬパネル等を用いることができる。
【００２９】
光センサ５は、外光の照射状態を検知し、光特性検出部３に出力する。光センサ５としては、例えば、照度センサ等が挙げられる。本実施形態において光センサ５は表示部２に具備されているが、本発明はこれに限定されるものではなく、表示部２の外側の筺体額縁領域に配置されていてもよい。また、光センサ５によって外光の照射状態が検知される領域の範囲は、光センサ５の数または配置によって適宜設定され得る。
【００３０】
光センサ５の数または配置は特に限定されるものではないが、互いに異なる位置に配置される複数の光センサ５を備えていることが好ましい。これにより、表示領域内の照射状態、例えば分布をより詳細に検知することができる。この場合、複数の光センサ５の配置は、例えば、表示部２の画素内に配置すればよいし、表示部２における表示画面外の額縁領域に配置してもよい。
【００３１】
光特性検出部３は、光センサ５からの出力に基づき、光の特性を検出する。ここで、光の特性としては、例えば、光の照度または光の分光特性を含む。また、例えば表示画面が複数の表示領域を含んでいる場合、光特性検出部３は、当該表示領域に対応する光センサ５の出力に基づき、表示領域ごとに光の特性を検出することが好ましい。これにより、表示画面の部分ごとに彩度の微調整をすることができるので、より表示品位を向上させることができる。
【００３２】
彩度調整部４は、光特性検出部３によって検出された光の特性に基づき、表示領域に表示される表示情報の彩度を調整する。ここで、光の特性に基づく調整とは、例えば、光の照射強度、照射時間または分光特性に応じて表示情報の彩度を調整することが意図される。なお、彩度調整部４による彩度の調整の詳細については後述する。
【００３３】
調整値保持部６は、彩度調整部４によって彩度が調整される際に用いられる、互いに異なる複数の調整値を保持する。調整値は、彩度を調整するために予め定められた値である。
【００３４】
色相選択部７は、検出された分光特性に基づき、互いに異なる複数の色相のうち、彩度を調整する対象となる色相を少なくとも１つ選択する。例えば、互いに異なる複数の色相のうち、光特性検出部３が検出した分光特性によって、赤色の成分が予め定められた基準量よりも多いと判定された場合、色相選択部７は赤色を選択する。彩度調整部４は、この選択に従って赤色の彩度を調整する。これにより、表示品位を向上させることができる。
【００３５】
予め定められた基準量は、特に限定されるものではなく、電子機器１ごとに適宜設定すればよい。なお、色相選択部７によって選択される色相は、当該基準量よりも多いと判定された色相であってもよいが、それ以外の色相であってもよい。色相選択部７によって選択される色相は、例えば、赤色、青色、緑色、黄色、水色、および紫色のうち少なくともいずれかを含み得る。
【００３６】
タイミングコントローラ８は、彩度調整部４が彩度を調整する際のタイミングを制御する。例えば、彩度調整部４がフレーム期間ごとに彩度を調整する場合、このタイミングを制御する。
【００３７】
また、電子機器１では、この他にも、特性に関わらず彩度を調整不可にする設定と、特性に関わらず彩度を調整可能にする設定と、特性に基づいて彩度調整部４が彩度を調整する設定とを切り換える、図示しない設定切換手段を備えていてもよい。
【００３８】
（光センサ５の配置例）
図２及び図３は、電子機器１における、光センサ５の配置例を示す図である。上述したように、電子機器１では光センサ５を互いに異なる位置に複数配置することが好ましく、図２では、光センサ５が表示部２の表示画面９の画素１０内に配置されている。このように、画素１０内に光センサ５を配置することにより、外光が表示領域内のどの部位にどのような状態で照射されているのかを容易に検出することができる。
【００３９】
ここで、光センサ５は、表示画面９の全ての画素１０内に配置されていてもよいし、ある一定の領域のみに配置されていてもよい。また、ＲＧＢそれぞれの画素１０に対して、均等に光センサ５を配置する必要はなく、配置数および配置密度はそれぞれ異なっていてもよい。
【００４０】
一方、図３に示すように、光センサ５を表示部２における表示画面９外の額縁領域に配置してもよい。このように、表示部２の額縁領域の互いに異なる位置に複数の光センサ５を配置することにより、表示画面９内のある領域に対する外光の照射状態を検知することができる。この場合、配置する場所は１箇所以上であれば特に限定されるものではなく、例えば図３に示すように額縁領域の四隅であってもよいし、四辺であってもよい。
【００４１】
〔電子機器１における動作〕
次に、電子機器１における動作の一例について説明する。
【００４２】
（彩度調整方法）
図４は、電子機器１における彩度を調整する方法を説明するための図である。電子機器１では、以下に説明するように表示情報の彩度を調整する。なお、以下において、彩度の調整方法の一つとしてＹＣｒＣｂ色空間を用いた方法について説明するが、本発明の彩度調整方法はこの方法に限定されるものではない。
【００４３】
本実施形態の彩度調整では、まず、電子機器１が、例えば図示しない外部機器から表示情報を受信すると、当該表示情報に含まれる色情報を輝度信号（明度）「Ｙ」と、色差信号「Ｃｒ，Ｃｂ」とに分離する。すなわち、ＲＧＢ色空間から、受信した表示情報におけるＲＧＢの階調値を用いて、ＹＣｒＣｂ色空間に変換する。このときの変換式を図４の（ａ）に示す。ここで、Ｙは明度、Ｃｒは赤〜緑成分の色差信号、およびＣｂは青〜黄色成分の色差信号を表す。
【００４４】
次に、変換して得られたＣｒ値およびＣｂ値に対して彩度調整するために、Ｃｒ値に対してＫｒを乗算し、Ｃｂ値に対してＫｂを乗算する（図４の（ｂ））。例えば、赤成分を強くする、すなわち緑成分を弱くする場合には、Ｃｒ成分に１よりも大きい値Ｋｒを乗算する。一方、赤成分を弱くする、すなわち緑成分を強くする場合には、Ｃｒ成分に０〜１の値Ｋｒを乗算する。また、青成分を強くする、すなわち黄色成分を弱くする場合には、Ｃｂ成分に１よりも大きい値Ｋｂを乗算する。一方、青成分を弱くする、すなわち黄色成分を強くする場合には、Ｃｂ成分に０〜１の値Ｋｂを乗算する。これらの演算結果は、それぞれＣｒ’またはＣｂ’となる。
【００４５】
最後に、Ｙ、Ｃｒ’およびＣｂ’の値を、再度ＲＧＢの値に変換する（図４の（ｃ））。この処理を、受信した画像信号の各画素に対して行なうことにより、彩度が調整された表示情報が得られる。
【００４６】
なお、彩度調整の際に適用される色空間としては上述のＹＣｒＣｂ色空間に限定されるものではなく、他にも、例えばＹＵＶ、ＹＩＱ、Ｌａｂ、ＨＬＳ、ＨＳＶ、ＨＳＢ、ＨＳＩ等、様々な方法を用いることができる。
【００４７】
また、電子機器１では、例えばデジタルスチルカメラ（ＤＳＣ）またはデジタルビデオカメラ（ＤＶＣ）のように、画像信号が入力されるとき、ＲＧＢ階調値ではなく、ＹＵＢ等の輝度信号と色差信号とに分かれて入力される入力手段を備えていることもある。この場合、図４の（ａ）に示すステップ、すなわちＲＧＢ色空間をＹＣｒＣｂ色空間に変換する処理は省略され得る。
【００４８】
このように彩度が調整されるときの画面の様子を図５に示す。図５は、電子機器１における画面の表示例、および当該画面の彩度情報を示す図である。
【００４９】
図５の（ａ）は、外光の照射強度がさほど高くない状態における画面である。この状態では、彩度の調整をしなくても視認性は良好である。このとき、彩度情報を画面の右側に示す。この彩度情報は、画面中の四角で囲った領域の彩度を表しており、矢印の長さ（絶対値）が彩度を示し、θで示す角度が色相である。このように、電子機器１において表示される画像中のある一つの画素に着目し、当該画素の彩度情報（色情報ともいう）を有していることがわかる。
【００５０】
ここで、図５の（ｂ）に示すように外光が照射されると、画面全体において白く見える。このとき、彩度調整をする、すなわち彩度を強調することにより、表示品位を保った画像を表示することができる（図５の（ｃ））。
【００５１】
（外光の照射量に応じた彩度調整）
図６は、電子機器１において、外光の照射量に応じて彩度調整する様子を示す図である。図６に示すように、電子機器１では、調整値保持部６が、彩度を調整する際に用いられる、互いに異なる複数の調整値を保持しており、彩度調整部４は、彩度を複数の調整値のうち検出した特性に応じたいずれかの調整値を用いて調整することが好ましい。
【００５２】
例えば、外光の照射強度が高いとき、図６の（ａ）に示すように、彩度が大きく劣化して、見栄えも色褪せた表示になることがある。この場合、単に彩度を強調させても、表示する画像が所望の彩度に至らないことがある（図６の（ｂ））。
【００５３】
そこで、彩度調整部４は、調整値保持部６が保持している複数の調整値の中から、光特性検出部３によって検出された特性に応じた調整値、すなわち、外光の照射量に応じた調整値を選択し、さらに彩度が強調されるように表示情報を調整する。これにより、図６の（ｃ）に示すように、所望の彩度を有する画像にすることができる。
【００５４】
また、彩度調整部４は、検出された照度がより高いほど、彩度の強調度合いをより高い値に調整することがより好ましく、検出された照度がより低いほど、彩度の強調度合いをより低い値に調整することがより好ましい。つまり、外光の照射量が多い場合には、彩度の強調度合いの調整値を高くし、外光の照射量が少ない場合には、彩度の強調度合いの調整値を１に近づける。これにより、より見栄えよい表示をすることができる。
【００５５】
このように、複数段階に渡る彩度の強調度合いの調整値を保持し、光センサ５によって検出された光特性に応じたいずれかの調整値を用いて調整することにより、電子機器１を使用するシチュエーションに応じて最適な画像調整をすることができる。
【００５６】
（分光特性に応じた彩度調整）
図７は、外光の分光特性に応じて彩度を調整する様子を示す図である。図７に示すように、電子機器１では、照射されている外光の分光特性に応じて、彩度を調整するための色相を選択することが好ましい。
【００５７】
例えば、日中の外光の照射状態が図７の（ａ）に示すような状態であるのに対し、朝焼けまたは夕焼け等の赤成分が多い外光の照射を受けると、画面の表示状態は図７の（ｂ）に示すように、彩度が落ちると共に、赤みを帯びる。この場合、彩度調整部４は、表示画面全体において、赤成分の彩度が下がるように調整するか、または赤以外の彩度が上がるように調整する。これにより、図７の（ｃ）に示すように、表示領域の全体的な色味のバランスが取れて、好ましい画像を表示することができる。
【００５８】
このとき、色相選択部７は、複数の色相のうち、予め定められた基準量よりも多い量の色相以外の色相を少なくとも１つ選択し、彩度調整部４は、選択された少なくとも１つの色相の彩度を調整すればよく、この場合、彩度調整部４は、選択された少なくとも１つの色相の彩度を、より高い値に調整することが好ましい。
【００５９】
また、色相選択部７は、複数の色相のうち、予め定められた基準量よりも多い量の色相を少なくとも１つ選択し、彩度調整部４は、選択された少なくとも１つの色相の彩度を調整してもよく、この場合、彩度調整部４は、選択された少なくとも１つの色相の彩度を、より低い値に調整することが好ましい。
【００６０】
これにより、外光の分光特性に応じて、表示情報を好ましい彩度に調整し、表示品位を向上させることができる。
【００６１】
なお、本発明に係る電子機器では、予め定められた基準量よりも多い量の上記色相は、赤色に限定されるものではなく、この他にも、例えば、青色、緑色、黄色、水色、および紫色のうち少なくともいずれかであってもよい。
【００６２】
（彩度調整のタイミング）
図８は、電子機器１における彩度を調整する際のタイミングを示す図であり、図９は、図８に示すタイミングＡ，Ｂにてそれぞれ彩度を調整したときの画面の表示例を示す図である。以下においては、光特性検出部３によって検出される特性が照度であることを想定する。
【００６３】
これらの図に示すように、電子機器１では、彩度調整部４が、あるフレーム期間において検出された特性に応じて、当該あるフレーム期間の次のフレーム期間において、彩度を調整することが好ましい。すなわち、彩度をフレーム単位にて調整することが好ましい。
【００６４】
例えば、光特性検出部３が１フレーム期間の途中（図８中、矢印１２で示す）で光センサ５からの出力に基づき、照度を検出したとき、彩度調整部４がこの結果に基づいて彩度を調整してしまうと、図９の（ａ）に示す状態となる。
【００６５】
つまり、図８に示すタイミングＡにて彩度を調整してしまうと、図９の（ａ）に示すように、彩度調整が反映されていない領域１３と、彩度調整が反映されている領域１４とに分かれて表示され得る。このように、１フレーム期間の途中のタイミングにて彩度調整を行なうと、画像の上下で彩度が異なる表示をすることがあり、画面のちらつきが起こる。
【００６６】
そこで、図８に示すタイミングＢ、すなわち、光特性検出部３が光特性を検出したフレーム期間の次のフレーム期間において彩度調整部４が彩度を調整することにより、図９の（ｂ）に示すように、画面上の全ての表示領域１５において均一に彩度が調整された画像を表示することができる。
【００６７】
なお、光特性検出部３は、検出した特性を、１フレーム期間に１回のみ彩度調整部４に出力することが好ましい。これにより、画面のちらつきを防ぐことがでできる。
【００６８】
（フレーム数に応じた段階的な彩度調整）
図１０は、電子機器１における彩度を調整する際の別のタイミングを示す図であり、図１１は、フレーム数に応じて段階的に彩度調整する様子を示す図である。
【００６９】
これらの図に示すように、電子機器１では、複数の連続したフレーム期間に渡って、彩度を段階的に調整することが好ましい。
【００７０】
例えば、図１０に示すように、光センサ５が出力する光特性の変化を光特性検出部３が第ｎフレームの途中（図１０中、矢印１３で示す）検出したとき、検出した第ｎフレームに続く第ｎ＋１フレームにおいて最終目標とする彩度まで一度に調整すると、第ｎフレームから第ｎ＋１フレームに移る際に瞬間的に見栄えが変わることになる。その結果、人間の目には画面がちらついているように感じられる。
【００７１】
そこで、光センサ５から出力される光特性の変化の情報を光特性検出部３が検出した後、複数のフレーム期間に渡って段階的に彩度の値を調整していく。
【００７２】
例えば、光特性検出部３が光センサ５から出力される光の特性を検出したとき、すなわち第ｎフレームの画像を図１１の（ａ）に示す。この表示状態から、次の第ｎ＋１フレームに移るときには、第ｎフレームにおける彩度よりも最終目標の彩度に近づくように調整する（図１１の（ｂ））。また、続く第ｎ＋２フレームに移るときには、第ｎ＋１フレームにおける彩度よりもさらに最終目標の彩度に近づくように調整する（図１１の（ｃ））。その後、第ｎ＋３フレームでは、最終目標の彩度となるように調整する（図１１の（ｄ））。これにより、ちらつきを抑えた表示をすることができる。
【００７３】
このような段階的な彩度調整は、彩度をより高い値に調整する際と、より低い値に調整する際とにおいて、互いに異なる数の連続したフレーム数に渡って、彩度を段階的に調整することがより好ましい。
【００７４】
これにより、彩度を強調するときと弱めるときで異なる速度で彩度を調整することができ、人間の目にちらつきを感じさせない。
【００７５】
また、表示部２として液晶パネルを用いた場合、表示部２の表面温度ごとに設定された数の、連続するフレーム期間において段階的に彩度を調整することがより好ましい。
【００７６】
つまり、液晶パネルでは、表面が高温になると応答特性が速くなり、低温になると遅くなるというように、液晶の応答特性が温度によって変化することが知られている。そのため、例えば、電子機器１が図示しない温度センサと、当該温度センサからの出力に基づき、表示部２の表面温度を検出する温度検出手段とを備えていれば、彩度調整の遷移時間を周囲温度に応じて変えることにより、液晶パネルを用いたとしても好ましい彩度で表示させることができる。
【００７７】
この場合、例えば、表示部２の表面が高温の場合には遷移時間を長くし、低温の場合は遷移時間を短くする、すなわち、高温の場合には、段階的に調整するフレームの数を増加させ、低温の場合には、段階的に調整するフレームの数を減少させる等により調整することがより好ましい。これにより、液晶パネルの応答特性に適した彩度調整を行なうことができる。
【００７８】
（光の照射状態に応じた彩度調整）
図１２は、電子機器１における彩度を調整する際の別のタイミングを示す図である。図１２に示すように、電子機器１では、光センサ５からの出力が一旦変化した後において、予め定められた基準の時間内に変化前の状態に戻った場合、彩度調整部４は彩度を調整しないことが好ましい。
【００７９】
例えば、図１２の（ａ）に示すように、複数の連続するフレーム期間において、外光の照射状態が第ｎフレームでは「照射状態Ａ」であり、第ｎ＋１フレームでは「照射状態Ｂ」であり、第ｎ＋２フレームでは再び「照射状態Ａ」に戻る場合、この照射状態の変化に応じて調整すると、画面にちらつきが生じる。
【００８０】
そこで、第ｎフレームを基準としたとき、図１２の（ｂ）に示すように、一旦照射状態が変化した後において、予め定められた基準の時間内に変化前の状態、すなわち第ｎフレームと同じ照射状態に戻った場合、彩度調整部４は彩度を調整せず、これらの期間に渡って同じ調整状態を保つ。これにより、ちらつきを抑え、自然に彩度が変化していくように表示することができる。
【００８１】
基準の期間としては特に限定されるものではないが、例えば１フレーム期間であれば、さらに好ましい状態で表示することができる。
【００８２】
（表示領域ごとの彩度調整）
図１３は、複数の表示領域ごとに異なる彩度調整を行なう様子を示す図である。図１３に示すように、電子機器１では、彩度を調整する対象となる表示領域が、表示部２の表示画面における一部分であること、すなわち、表示画面が複数の表示領域を含んでいることが好ましい。この場合、光特性検出部３は、表示領域ごとに、表示領域に対応する光センサ５からの出力に基づき、表示領域における特性を検出し、彩度調整部４は、表示領域ごとに、表示領域における特性に応じて彩度を調整することがより好ましい。
【００８３】
例えば、図１３の（ａ）に示すように、照射光の強度が異なる２つの外光が、画面の一部領域１６，１７をそれぞれ照射している場合、それぞれの領域１６，１７を照射している光の強度に合わせて、それぞれの領域１６，１７において異なる値を用いて彩度調整を行なう。すなわち、図１３の（ｂ）に示す領域１９，２０では、それぞれ異なる値で彩度を調整し、外光が照射されていない領域２１では彩度を調整しない。その結果、図１３の（ｃ）に示すように画像が表示される。
【００８４】
このように、表示画面全体において一律、同じように彩度調整を行なうのではなく、各照射領域に対して最適な彩度調整量を設定することにより、さらに表示品位の劣化を防止することができる。
【００８５】
また、複数の表示領域のうちいずれかの表示領域における特性の値が、いずれかの表示領域に隣接する他の表示領域における特性と異なる場合、彩度調整部４は、いずれかの表示領域と他の表示領域との境界付近の彩度を、いずれかの表示領域における特性に応じた彩度の調整値と、他の表示領域における照度に応じた調整値との中間の調整値を用いて調整することがより好ましい。
【００８６】
図１４は、複数の表示領域ごとに異なる彩度調整を行なう別の例を示す図である。
【００８７】
つまり、図１４の（ａ）に示すように、照射光強度の異なる２つの外光が照射されている領域２５，２７が隣接していない場合には、それぞれの領域２５，２７に応じた彩度調整を行なう。
【００８８】
一方、図１４の（ｂ）に示すように、照射光強度の異なる２つの外光が照射されている領域２８，３０が隣接している場合、領域ごとに彩度調整を行なうと、その境目付近の領域２９では急峻な彩度の変化になり、ちらつきが生じることがある。そのため、この境目付近の領域２９では、領域２８，３０に対して調整する値の中間値を用いて彩度を調整することにより、急峻な変化を和らげ、図１４の（ｃ）に示すように全体の見栄えを損なうことなく、各領域の彩度を調整することができる。
【００８９】
なお、上述した実施形態においては、光センサ５が表示部２に備えられている例を示したが、本発明はこれに限定されるものではなく、例えば図１５に示すように、表示部２よりも外側の筺体額縁領域に配されていてもよい。図１５は、電子機器１における光センサ５の別の配置例を示す図である。
【００９０】
また、図１６に示すように、電子機器１が温度センサ５２を備えている場合、光センサ５と同様に、表示部２の外側の筺体額縁領域に配されていればよい。図１６は、電子機器１における温度センサ５２の配置例を示す図である。
【００９１】
（プログラムおよび記録媒体）
最後に、電子機器１に含まれている各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【００９２】
すなわち、電子機器１は、各機能を実現する制御プログラムの命令を実行するＣＰＵ、この制御プログラムを格納したＲＯＭ（Ｒｅａｄ  Ｏｎｌｙ  Ｍｅｍｏｒｙ）、上記制御プログラムを実行可能な形式に展開するＲＡＭ（Ｒａｎｄｏｍ  Ａｃｃｅｓｓ  Ｍｅｍｏｒｙ）、および、上記制御プログラムおよび各種データを格納するメモリ等の記憶装置（記録媒体）を備えている。
【００９３】
この構成により、本発明の目的は、所定の記録媒体によっても、達成できる。この記録媒体は、上述した機能を実現するソフトウェアである電子機器１の制御プログラムのプログラムコード（実行形式プログラム、中間コードプログラム、ソースプログラム）をコンピュータで読み取り可能に記録していればよい。電子機器１にこの記録媒体を供給する。これにより、コンピュータとしての電子機器１（またはＣＰＵやＭＰＵ）が、供給された記録媒体に記録されているプログラムコードを読み出し、実行すればよい。
【００９４】
プログラムコードを電子機器１に供給する記録媒体は、特定の構造または種類のものに限定されない。すなわち、この記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【００９５】
また、電子機器１を、通信ネットワークと接続可能に構成しても、本発明の目的を達成できる。この場合、上記のプログラムコードを、通信ネットワークを介して電子機器１に供給する。この通信ネットワークは、電子機器１にプログラムコードを供給できるものであればよく、特定の種類または形態に限定されない。たとえば、インターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【００９６】
この通信ネットワークを構成する伝送媒体も、プログラムコードを伝送可能な任意の媒体であればよく、特定の構成または種類のものに限定されない。たとえば、ＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００９７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００９８】
また、本発明に係る電子機器では、上記彩度を調整する際に用いられる、互いに異なる複数の調整値を保持している保持手段をさらに備えており、上記彩度調整手段は、上記彩度を、上記複数の調整値のうち上記特性に応じたいずれかの調整値を用いて調整することが好ましい。また、上記特性は、上記光の照度であることが好ましい。
【００９９】
上記の構成によれば、本発明の電子機器は、互いに異なる複数の調整値を保持している保持手段をさらに備え、彩度調整手段は、保持手段が保持している複数の調整値のうち、検出した特性に応じたいずれかの調整値を用いて調整する。
【０１００】
例えば、外光の照射強度が強いとき、彩度が大きく劣化して、見栄えも色褪せた表示になることがある。この場合、単に彩度を強調させても、表示する画像が所望の彩度に至らないことがある。
【０１０１】
そこで、彩度調整手段は、保持手段が保持している複数の調整値の中から、特性検出手段によって検出された特性に応じた調整値、すなわち、外光の照射量に応じた調整値を選択し、さらに彩度が強調されるように表示情報を調整する。これにより、所望の彩度を有する画像にすることができる。
【０１０２】
また、本発明に係る電子機器では、上記彩度調整手段は、検出された上記照度がより高いほど、上記彩度の強調度合いをより高い値に調整することが好ましく、検出された上記照度がより低いほど、上記彩度の強調度合いをより低い値に調整することが好ましい。
【０１０３】
上記の構成によれば、彩度調整手段は、検出された照度がより高いほど、彩度の強調度合いをより高い値に調整し、検出された照度がより低いほど、彩度の強調度合いをより低い値に調整する。つまり、外光の照射量が多い場合には、彩度の強調度合いの調整値を高くし、外光の照射量が少ない場合には、彩度の強調度合いの調整値を低くする。これにより、さらに見栄えよい表示をすることができる。
【０１０４】
このように、複数段階に渡る彩度の強調度合いの調整値を保持し、光センサによって検出された光特性に応じたいずれかの調整値を用いて調整することにより、電子機器を使用するシチュエーションに応じて最適な画像調整をすることができる。
【０１０５】
また、本発明に係る電子機器では、上記特性は、上記光の分光特性であることが好ましい。また、検出された上記分光特性に基づき、互いに異なる複数の色相のうち、上記彩度を調整する対象の色相を少なくとも１つ選択する色相選択手段をさらに備えており、上記彩度調整手段は、選択された少なくとも１つの上記色相の上記彩度を調整することが好ましい。
【０１０６】
上記の構成によれば、電子機器において、検出される特性は分光特性であり、電子機器は、検出された分光特性に基づき、互いに異なる複数の色相のうち、彩度を調整する対象の色相を少なくとも１つ選択する色相選択手段をさらに備えている。
【０１０７】
例えば、日中の外光の照射状態に対し、朝焼けまたは夕焼け等の赤成分が多い外光の照射を受けた状態では、画面の表示は彩度が落ちると共に、赤みを帯びる。この場合、彩度調整手段は、表示画面全体において、赤成分の彩度が下がるように調整するか、または赤以外の彩度が上がるように調整する。これにより、表示領域の全体的な色味のバランスが取れて、好ましい画像を表示することができる。
【０１０８】
また、本発明に係る電子機器では、上記色相選択手段は、上記複数の色相のうち、予め定められた基準量よりも多い量の上記色相以外の上記色相を少なくとも１つ選択し、上記彩度調整手段は、選択された少なくとも１つの上記色相の上記彩度を調整することが好ましく、上記彩度調整手段は、選択された少なくとも１つの上記色相の上記彩度を、より高い値に調整することが好ましい。
【０１０９】
上記の構成によれば、外光の分光特性に応じて、表示情報を好ましい彩度に調整し、表示品位を向上させることができる。
【０１１０】
また、本発明に係る電子機器では、上記色相選択手段は、上記複数の色相のうち、予め定められた基準量よりも多い量の上記色相を少なくとも１つを選択し、上記彩度調整手段は、選択された少なくとも１つの上記色相の上記彩度を、より低い値に調整することが好ましい。
【０１１１】
上記の構成によれば、外光の分光特性に応じて、表示情報を好ましい彩度に調整し、表示品位を向上させることができる。
【０１１２】
また、本発明に係る電子機器では、予め定められた基準量よりも多い量の上記色相は、赤色、青色、緑色、黄色、水色、および紫色のうち少なくともいずれかであることが好ましい。
【０１１３】
また、本発明に係る電子機器では、上記彩度調整手段は、あるフレーム期間において検出された上記特性に応じて、当該あるフレーム期間の次のフレーム期間において、上記彩度を調整することが好ましい。
【０１１４】
また、本発明に係る電子機器では、上記特性検出手段は、検出した上記特性を、１フレーム期間に１回のみ、上記彩度調整手段に出力することが好ましい。
【０１１５】
上記の構成によれば、本発明の電子機器では、彩度調整手段があるフレーム期間において検出された特性に応じて、当該あるフレーム期間の次のフレーム期間において、彩度を調整する。すなわち、彩度をフレーム単位にて調整する。
【０１１６】
例えば、特性検出手段が１フレーム期間の途中で光センサからの出力に基づき、照度を検出したとき、彩度調整手段がこの結果に基づいて彩度を調整してしまうと、彩度調整が反映されていない領域と、彩度調整が反映されている領域とに分かれて表示され得る。このように、１フレーム期間の途中のタイミングにて彩度調整を行なうと、画像の上下で彩度が異なる表示をすることがあり、画面のちらつきが起こる。
【０１１７】
そこで、特性検出手段が光特性を検出したフレーム期間の次のフレーム期間において彩度調整手段が彩度を調整することにより、画面上の全ての表示領域において均一に彩度が調整された画像を表示することができる。
【０１１８】
さらに、光特性検出手段が、検出した特性を、１フレーム期間に１回のみ彩度調整手段に出力することにより、画面のちらつきを防ぐことがでできる。
【０１１９】
また、本発明に係る電子機器では、上記彩度調整手段は、複数の連続したフレーム期間に渡って、上記彩度を段階的に調整することが好ましい。
【０１２０】
例えば、光センサが出力する光特性の変化を特性検出手段があるフレームの途中検出したとき、検出したあるフレームに続くフレームにおいて最終目標とする彩度まで一度に調整すると、あるフレームから次のフレームに移る際に瞬間的に見栄えが変わることになる。その結果、人間の目には画面がちらついているように感じられる。
【０１２１】
そこで、光センサから出力される光特性の変化の情報を特性検出手段が検出した後、複数のフレーム期間に渡って段階的に彩度の値を調整していくことにより、ちらつきを抑えた表示をすることができる。
【０１２２】
また、本発明に係る電子機器では、上記彩度調整手段は、上記彩度をより高い値に調整する際と、より低い値に調整する際とにおいて、互いに異なる数の連続したフレーム数に渡って上記彩度を段階的に調整することが好ましい。
【０１２３】
上記の構成によれば、彩度を強調するときと弱めるときで異なる速度で彩度を調整することができ、人間の目にちらつきを感じさせない。
【０１２４】
また、本発明に係る電子機器では、温度センサと、上記温度センサからの出力に基づき、上記表示部の表面温度を検出する温度検出手段をさらに備えており、上記彩度調整手段は、検出された上記表面温度ごとに設定された数の、連続した上記フレーム期間に渡って上記彩度を調整することが好ましい。
【０１２５】
上記の構成によれば、本発明の電子機器では、表示部の表面温度に応じて、複数の連続するフレーム期間において段階的に彩度を調整する。つまり、検出した表示部の表面温度がより高い場合とより低い場合とにおいて、それぞれ異なるフレーム数で段階的に彩度を調整する。
【０１２６】
例えば、表示部として液晶パネルを用いた場合、表面が高温になると応答特性が速くなり、低温になると遅くなるというように、液晶の応答特性が温度によって変化する。そのため、電子機器が温度センサを備えていれば、彩度調整の遷移時間を周囲温度に応じて変えることにより、液晶パネルを用いたとしても好ましい彩度で表示させることができる。
【０１２７】
また、本発明に係る電子機器では、上記彩度調整手段は、検出された上記表面温度がより低いほど、より多い数の連続した上記フレーム期間に渡って上記彩度を調整することが好ましい。
【０１２８】
また、本発明に係る電子機器では、上記彩度調整手段は、検出された上記表面温度がより高いほど、より少ない数の連続した上記フレーム期間に渡って上記彩度を調整することが好ましい。
【０１２９】
上記の構成によれば、電子機器では、表示部の表面が高温の場合には遷移時間を長くし、低温の場合は遷移時間を短くする。すなわち、高温の場合には、段階的に調整するフレームの数を増加させ、低温の場合には、段階的に調整するフレームの数を減少させる等により調整する。
【０１３０】
これにより、液晶パネルを用いた場合であっても、応答特性に適した彩度調整を行なうことができる。
【０１３１】
また、本発明に係る電子機器では、上記光センサからの出力が、一旦変化した後において、予め定められた基準の時間内に、変化前の状態に戻った場合、上記彩度調整手段は上記彩度を調整しないことが好ましい。
【０１３２】
例えば、複数の連続するフレーム期間において、はじめのフレームにおける外光の照射状態が次のフレームで変化し、さらに次のフレームにおいてはじめのフレームと同じ外光の照射状態に戻った場合、この照射状態の変化に応じて彩度を調整すると、画面にちらつきが生じる。
【０１３３】
そこで、はじめのフレームを基準としたとき、一旦照射状態が変化した後において、予め定められた基準の時間内に変化前の状態、すなわちはじめのフレームと同じ照射状態に戻った場合、彩度調整手段は彩度を調整せず、これらの期間に渡って同じ調整状態を保つ。これにより、ちらつきを抑え、自然に彩度が変化していくように表示することができる。
【０１３４】
また、本発明に係る電子機器では、上記基準の時間は、１フレーム期間であることが好ましい。上記の構成によれば、さらに好ましい状態で表示することができる。
【０１３５】
また、本発明に係る電子機器では、上記表示領域は、上記表示部の表示画面における一部分であることが好ましい。
【０１３６】
また、上記表示画面は、複数の上記表示領域を含んでおり、上記特性検出手段は、上記表示領域ごとに、当該表示領域に対応する上記光センサからの上記出力に基づき、当該表示領域における上記特性を検出し、上記彩度調整手段は、上記表示領域ごとに、当該表示領域における上記特性に応じて上記彩度を調整することが好ましい。
【０１３７】
上記の構成によれば、表示画面全体において一律、同じように彩度調整を行なうのではなく、各照射領域に対して最適な彩度調整量を設定することにより、さらに表示品位の劣化を防止することができる。
【０１３８】
また、本発明に係る電子機器では、複数の表示領域のうちいずれかの表示領域における上記特性の値が、当該いずれかの表示領域に隣接する他の上記表示領域における上記特性と異なる場合、上記彩度調整手段は、当該いずれかの表示領域と当該他の表示領域との境界付近の上記彩度を、当該いずれかの表示領域における上記特性に応じた上記彩度の調整値と、当該他の表示領域における光の照度に応じた上記彩度の調整値との中間の上記調整値を用いて調整することが好ましい。
【０１３９】
例えば、照射光強度の異なる２つの外光が照射されている領域が隣接している場合、領域ごとに彩度調整を行なうと、その境目付近の領域では急峻な彩度の変化になり、ちらつきが生じることがある。そのため、この境目付近の領域では、隣接する領域に対して調整する値の中間値を用いて彩度を調整することにより、急峻な変化を和らげ、全体の見栄えを損なうことなく、各領域の彩度を調整することができる。
【０１４０】
また、本発明に係る電子機器では、互いに異なる位置に配置される複数の上記光センサを備えていることが好ましい。
【０１４１】
上記の構成によれば、表示領域内の照射状態、例えば分布をより詳細に検知することができる。
【０１４２】
また、本発明に係る電子機器では、複数の上記光センサが、上記表示部の画素内に配置されていることが好ましい。
【０１４３】
上記の構成によれば、光センサは表示部の表示画面の画素内に配置されている。このように、画素内に光センサを配置することにより、外光が表示領域内のどの部位にどのような状態で照射されているのかを容易に検出することができる。
【０１４４】
また、本発明に係る電子機器では、複数の上記光センサが、上記表示部における表示画面外の額縁領域に配置されていることが好ましい。
【０１４５】
上記の構成によれば、表示部の額縁領域の互いに異なる位置に複数の光センサを配置することにより、表示領域内の照射状態、例えば分布をより詳細に検知することができる。
【０１４６】
また、本発明に係る電子機器では、上記表示部は液晶パネルであることが好ましい。
【０１４７】
上記の構成によれば、液晶パネルの応答特性に応じた好ましい彩度調整を行なうことができる。
【０１４８】
また、本発明に係る電子機器では、上記特性に関わらず上記彩度を調整不可にする設定と、上記特性に関わらず上記彩度を調整可能にする設定と、上記特性に基づいて上記彩度調整手段が上記彩度を調整する設定とを切り換える設定切換手段とをさらに備えていることが好ましい。
【０１４９】
なお、本発明に係る電子機器は、コンピュータによって実現してもよい。この場合、コンピュータを上記各手段として動作させることにより電子機器をコンピュータにおいて実現するプログラム、およびそのプログラムを記録したコンピュータ読み取り可能な記録媒体も、本発明の範疇に入る。
【産業上の利用可能性】
【０１５０】
本発明は、携帯情報端末、携帯電話、デジタルスチルカメラ、デジタルビデオカメラ、パーソナルコンピュータまたはテレビ等の電子機器に適用することができる。
【符号の説明】
【０１５１】
１    電子機器
２    表示部
３    光特性検出部（特性検出手段）
４    彩度調整部（彩度調整手段）
５    光センサ
６    調整値保持部（保持手段）
７    色相選択部（色相選択手段）
８    タイミングコントローラ
【図１】
0005490825.tif 000002
【図２】
0005490825.tif 000003
【図３】
0005490825.tif 000004
【図４】
0005490825.tif 000005
【図８】
0005490825.tif 000006
【図１０】
0005490825.tif 000007
【図１２】
0005490825.tif 000008
【図１５】
0005490825.tif 000009
【図１６】
0005490825.tif 000010
【図５】
0005490825.tif 000011
【図６】
0005490825.tif 000012
【図７】
0005490825.tif 000013
【図９】
0005490825.tif 000014
【図１１】
0005490825.tif 000015
【図１３】
0005490825.tif 000016
【図１４】
0005490825.tif 000017
【図１７】
0005490825.tif 000018